(57)【特許請求の範囲】
【請求項１】
屋根上に太陽電池を軒棟方向に複数配設して構築される雪止め構造であって、
雨仕舞性能を有する下層材にて形成される屋根面上に太陽電池を屋根勾配に略平行かつ平坦状に敷設すると共に、前記屋根面と前記太陽電池裏面間には軒棟方向に連続する空間が形成され、
軒棟方向に隣り合う前記太陽電池は、一定間隔の開口部を介して配設され、該開口部によって前記太陽電池表面と前記裏面空間とが連通しており、前記開口部に起立状部を設けたことを特徴とする雪止め構造。
【請求項２】
屋根上に太陽電池を軒棟方向に複数配設して構築される雪止め構造であって、
雨仕舞性能を有する下層材にて形成される屋根面上に太陽電池を屋根勾配に略平行かつ平坦状に敷設すると共に、前記屋根面と前記太陽電池裏面間には軒棟方向に連続する空間が形成され、
軒棟方向に隣り合う前記太陽電池は、一定間隔の開口部を介して配設され、該開口部によって前記太陽電池表面と前記裏面空間とが連通しており、軒棟方向に隣り合う前記太陽電池のうち、軒側に配設される前記太陽電池の水上側端に起立状部を設けたことを特徴とする雪止め構造。
【発明の詳細な説明】
【技術分野】
【０００１】
本発明は、太陽電池表面の雪を裏面空間に導くと共に該裏面空間にて雪を円滑に溶かすことができる太陽電池を用いた雪止め構造に関する。
【背景技術】
【０００２】
太陽電池を屋根上に設置或いは屋根材として敷設した場合、降雪等による積雪に対し、以下のような対策が取られている。
例えば特許文献１には、太陽電池モジュールの上面にポリカーボネート等の透明部材からなる雪止め具を配置することが記載され、特許文献２には、太陽電池瓦１の軒側に固定した横フレーム２ｂに雪止め具５を固定する構成が記載され、特許文献３には、太陽電池モジュール１０の水下側に雪止部材１６０を配設した構造が記載され、特許文献４には、雪止部１ｂ及び回転防止部ｂｃを有する雪止め部材１を、フレーム部材３を介して太陽電池モジュール２に固定する構成が記載され、特許文献５には、上方に突条の三角頂部を有する雪止め具６５を取り付ける構造が記載されている。
【先行技術文献】
【特許文献】
【０００３】
【特許文献１】特開２０００−１７８００号公報
【特許文献２】特許第３７００６４６号公報
【特許文献３】特開２００９−２９９４５１号公報
【特許文献４】特開２００６−２７８６７１号公報
【特許文献５】特開２００５−１３３５０３号公報
【発明の概要】
【発明が解決しようとする課題】
【０００４】
しかしながら、前記特許文献１〜５等に記載の提案では、雪止め具で雪の滑落を防ぐものであるが、雪の滑落を防ぐことにより積雪部分が太陽電池の受光面積を減少させ、その結果、発電量の低下に繋がるという問題があった。なお、前記特許文献１では、雪止め具の遮光を考慮して透明部材を用いたものの、雪止め具にて堰き止められる積雪の遮光については考慮されていなかった。
【０００５】
そこで、本発明は、太陽電池表面の雪を裏面空間に導くと共に該裏面空間にて雪を円滑に溶かすことができる太陽電池を用いた雪止め構造を提案することを目的とする。
【課題を解決するための手段】
【０００６】
本発明は、上記に鑑み提案されたもので、屋根上に太陽電池を軒棟方向に複数配設して構築される雪止め構造であって、雨仕舞性能を有する下層材にて形成される屋根面上に太陽電池を屋根勾配に略平行かつ平坦状に敷設すると共に、前記屋根面と前記太陽電池裏面間には軒棟方向に連続する空間が形成され、軒棟方向に隣り合う前記太陽電池は、一定間隔の開口部を介して配設され、該開口部によって前記太陽電池表面と前記裏面空間とが連通しており、前記開口部に起立状部を設けたことを特徴とする雪止め構造に関するものである。
【０００７】
また、本発明は、屋根上に太陽電池を軒棟方向に複数配設して構築される雪止め構造であって、雨仕舞性能を有する下層材にて形成される屋根面上に前記太陽電池を屋根勾配に略平行かつ平坦状に敷設すると共に、前記屋根面と前記太陽電池裏面間には軒棟方向に連続する空間が形成され、軒棟方向に隣り合う前記太陽電池は、一定間隔の開口部を介して配設され、該開口部によって前記太陽電池表面と前記裏面空間とが連通しており、軒棟方向に隣り合う前記太陽電池のうち、軒側に配設される前記太陽電池の水上側端に起立状部を設けたことを特徴とする雪止め構造をも提案する。
【発明の効果】
【０００８】
本発明の太陽電池を用いた雪止め構造は、屋根上に敷設した太陽電池表面の雪を開口部へ、又は開口部から裏面空間へ落とすことができ、該開口部又は該裏面空間にて落とした雪を円滑に溶かすことができる。
即ち軒棟方向の太陽電池間に一定間隔の開口部を設けることで、太陽電池上を滑落する雪を開口部へ落とすことができる。或いは、開口部から更に裏面空間へ落とすことができる。そのため、雪の堰き止めが生じず、該堰き止め（にて遮光されること）による効率低下を防ぐ。また、太陽電池の裏面空間は高温になるので、開口部へ落ちた雪又は裏面空間に落ちた雪を円滑に溶かすことができる。しかも太陽電池の温度上昇を抑えることは、太陽電池の発電効率の低下を防ぐ意義があるので、本来は廃棄されるだけの雪を効率よく利用することができる。その際、開口部に起立状部を設けたので、棟側から滑落してきた雪を開口部へ確実に落とす役割を果たし、また裏面空間の温められた空気を開口部から太陽電池の表面側へ放出することにより、融雪に寄与し、更には裏面空間を適度な温度に保持することができ、表面側の積雪を滑落し易い状態とする役割も果たす。
【０００９】
また、起立状部を、軒側に配設される太陽電池の水上側端に設けた態様では、雪を導くための開口部の幅が最も有効に利用される。
【図面の簡単な説明】
【００１０】
【図１】（ａ）折板屋根上に太陽電池を敷設した雪止め構造の実施例を示す平面図、（ｂ）その側断面図、（ｃ）その正断面図である。
【図２】（ａ）本発明における開口部及び起立状部の役割を模式的に示すものであって、雪の滑落に対する役割を示す側断面図、（ｂ）風の流れに対する役割を示す側断面図である。
【図３】（ａ）〜（ｇ）起立状部の実施バリエーションを示す断面図である。
【図４】（ａ）起立状部が固定部材と一体タイプの一実施例を示す側断面図、（ｂ）その斜視図、（ｃ）他の一実施例を示す側断面図である。
【図５】（ａ）起立状部が固定部材に取付タイプの一実施例を示す側断面図、（ｂ）その起立状部が連続する斜視図、（ｃ）その起立状部がピース材である斜視図、（ｄ）他の一実施例を示す側断面図、（ｅ）その斜視図である。
【図６】（ａ）起立状部が固定部材に取付タイプの他の一実施例を示す側断面図、（ｂ）その斜視図、（ｃ）他の一実施例を示す側断面図、（ｄ）その斜視図、（ｅ）他の一実施例を示す側断面図、（ｆ）その斜視図である。
【図７】（ａ）固定部材と共に起立状部が下層材に取り付けられる一実施例の斜視図、（ｂ）その側断面図である。
【発明を実施するための形態】
【００１１】
本発明の太陽電池を用いた雪止め構造は、太陽電池を軒棟方向に複数配設して構築される雪止め構造であって、雨仕舞性能を有する下層材上に太陽電池を敷設すると共に、下層材と太陽電池裏面間には空間が形成され、軒棟方向に隣接する太陽電池は、一定間隔の開口部を介して配設され、該開口部によって太陽電池表面と裏面空間とが連通しており、軒棟方向に隣接する太陽電池のうち、棟側に配設される太陽電池の水下側端より水下側に起立状部を設けたことを特徴とする。
この構成により、太陽電池表面の雪を裏面空間に導くと共に該裏面空間にて雪を円滑に溶かすことができる。
【００１２】
また、起立状部を、軒側に配設される太陽電池の水上側端に設けた場合には、雪を導くための開口部の幅が最も有効に利用され、棟側から滑落してきた雪を起立状部で確実に開口部から落とすことができる。
【００１３】
本発明に用いる太陽電池は、結晶系等の太陽電池セルをガラス等に積層させてモジュール化したものであっても、アモルファス等の薄膜のものであってもよく、薄膜等にあっては、基材となる金属板等に一体化してシート状（板状）或いはボード状にしたものであってもよい。
また、太陽電池は、上記のモジュール、シート、ボード等をそのまま敷設するものでも、周縁に枠体（フレーム）を配して敷設するものでもよい。また、発電量を増大させるために両面受光（発電）型の太陽電池を用いてもよく、この場合、太陽電池の下方に反射部を介在させればよく、下層材が兼用するものでも別途設けるものでもよい。
【００１４】
隣接する太陽電池間に形成される一定間隔の開口部は、少なくとも流れ方向に交わる方向、望ましくは直交する方向に形成される。この開口部は、太陽電池表面と裏面空間とを連通するものであって、太陽電池上を滑落する雪をこの開口部へ落とすことができ、或いは更に開口部から太陽電池の裏面空間へ落とすことができる。
なお、この開口部には、パンチング、メッシュ、網等の空気の流れを阻害しないものであればごみ等の侵入を防止する部材を配してもよい。
【００１５】
起立状部は、従来の雪止め具等と異なるのは、流れ方向に滑落してくる雪を堰き止めるのではなく、開口部へ落とす、又は開口部から更に裏面空間へ落とす役割を果たものであり、更には該起立状部に当たった風が上方に乱流を起こして開口部上端を減圧状態とし、裏面空間にて温められた空気を表面側へ吸い出すように排出する役割をも果たす。この起立状部は、軒棟方向に隣接する太陽電池のうち、棟側に配設される太陽電池の水下側端より水下側に設けるものであり、全ての隣接する太陽電池間に設けるものでも、一部に、例えば太陽電池の敷設範囲の軒端周辺であったり、軒棟方向に一定間隔（太陽電池の一枚おき等）に設けるものでもよい。また、起立状部は、太陽電池の辺に対して全長に亘って設けるものでも、一箇所或いは複数箇所に部分的に設けるものであってもよい。また、隣接する複数の太陽電池に跨がるように設けるものであってもよい。更に、起立状部は、パネル表面に対して略鉛直状でも、内側、外側への傾斜状でもよい。
また、起立状部は、枠体に予め一体ものでも、別体からなる起立状部をビス、ボルト・ナット等の締着や嵌合、係合、接着或いはこれらを併用して枠体に取り付けるものでもよい。或いは太陽電池を取り付け固定する枠体以外の固定部材に一体に設けても或いは上記と同様に別体からなる起立状部を取り付けるものでも、さらに別体を固定部材と共締めしてもよい。さらに、起立状部は、開口部の流れ（長さ）方向に交わる方向に設ける。
【００１６】
前記開口部に固定部材を取り付ける場合、この固定部材は、下層材上に太陽電池を取り付けるための部材であって、言い換えれば、隣接する太陽電池の両方又は一方の側端を保持する保持部と、下層材への固定部とを備える部材と規定でき、この固定部材に起立状部を取り付ける構成としては以下の態様がある。
【００１７】
この固定部材としては、単一部材からなるものでも複数部材にて構成されるものでもよく、隣接する太陽電池に跨る（跨って固定する）ものでもそれぞれ個別に固定するものでもよく、特に起立状部について分類すると、〔１〕一体タイプ、〔２〕固定部材に取付（係合又は締着）タイプ、〔３〕固定部材と別体タイプがある。
〔１〕一体タイプは、下層材に直接締着され、パネル保持を兼ねる仕様であり、固定部材はピース材でも、通し材でもよく、通し材の場合には、底面（固定部分）等に裏面空間と連通させる孔を設けたり、底部を固定部のみの形状（或いは固定箇所以外を切除した形状）にしても、起立部の一部を切除したものでもよい。
〔２〕固定部材に取付（係合又は締着）タイプは、予め別部品として作製した起立状部を、係合又は締着にて固定部材に一体的に取り付けられるものであり、固定部材を下層材に固定することで間接的に下層材に起立状部が固定される。
〔３〕固定部材と別体タイプは、予め別部品として作製した起立状部を、下層材に固定部材と取り付ける際に同時に固定（締着）されるか、もしくは固定部材と共締めされるものである。
【００１８】
前記両面受光型のセルの下方に設けられる反射部は、太陽光を反射させてセルの裏面側へ太陽光を照射するものであって、例えば全面に設けるものであっても部分的に設けるものであってもよい。材質等にあっても、鉄、ステンレス、アルミ等の鋼板や銅板、或いは表面処理鋼板や塩ビ等の被覆鋼板でもよく、板状、フィルム状であってもよい。また、硬質樹脂板や樹脂シート、アスファルト等の含浸シートであってもよい。上記反射部は、白、シルバー等に塗装されたものでも、反射性(光沢を含む)のトップコートを施したものであってもよく、表面に鏡面仕上げを施したもの、これらの態様を複数兼ねるものであってもよい。さらに、反射部は、略平坦状のものであっても、角波状、円弧状であってもよい。また、新設・既設屋根上に両面受光型モジュールを配設する場合、上述のような反射部を別途に又は新規に用いるものであってもよいし、対象領域に相当する領域上に反射性能を有する塗料等を塗布して反射部を形成するものでもよい。
また、反射部（材）を別途設ける場合、横桟又は縦桟の配設間隔に配する態様でも、太陽光を反射する部分（面板部）についても、平坦状でも、連続（角）波状でもよい。なお、この反射部を横桟又は縦桟の配設間隔に配する態様では、端縁を立ち上げ、縦桟間又は横桟間に嵌め付けるもの、縦残又は横桟等に係止させてもよく、ビス等で固定するものであってもよい。
【００１９】
本発明の太陽電池を用いた雪止め構造は、雨仕舞機能を有する下層材上に空間を介して敷設させるものである。
雨仕舞機能を有する下層材は、既存の瓦、スレート、金属等の公知の屋根でも、新たに敷設される瓦、スレート、金属等からなる屋根でも、太陽電池の裏面側に屋根としての雨仕舞性能を有するものであれば、その仕様を問うものではなく、例えば塩ビ等の防水シートからなる防水層でもよい。また、金属等によって構成される既存もしくは新設の屋根は、横葺き状、縦葺き（瓦棒葺き、平滑状等）、折板等の如何なるものでもよい。
これらの下層材を構成する部材に直接太陽電池を取り付けてもよいし、各種の取付金具や取付架材、持出金具、横桟、縦桟等の取付具を介して太陽電池を取り付けるようにしてもよい。即ち本発明における下層材としては、下側屋根、又はそれに取り付ける取付材をも含むものである。
【実施例１】
【００２０】
図１（ａ）、（ｂ）、（ｃ）に示す本発明の第１実施例は、雨仕舞性能を有する下層材である折板屋根上に太陽電池１を複数配列して構築される雪止め構造であり、下層材と太陽電池１裏面間に空間１１が形成され、軒棟方向に隣接する太陽電池１，１は、一定間隔の開口部２を介して配設され、該開口部２によって太陽電池１表面と裏面空間１１とが連通しており、軒棟方向に隣接する太陽電池１，１のうち、棟側に配設される太陽電池１の水下側端より水下側に起立状部３を設けた構成である。
【００２１】
なお、図１（ａ）、（ｂ）における雪（Ｓ）の滑落方向は図面に矢印にて示すように上から下へであり、風（Ｗ）の流れ方向は図面に白抜き矢印にて示すように下から上へであり、これらに対する開口部２及び起立状部３の役割を図２に示した。
図２（ａ）では、右側から左側へ雪が滑落する、即ち右側が棟で、左側が軒を指す。
図示するように雪（Ｓ）は、右側から左側へ滑落し、一部は点線で示すように起立状部３に衝突した後、開口部２から裏面空間１１へ落ちる。
図２（ｂ）では、左から右側へ風が吹く、即ち屋根への吹き上げ風を想定すると、左側が軒で、右側が棟を指す。
図示するように風（Ｗ）が左方から右方に向かって吹くと、起立状部３に当たった風が点線で示すように上方に乱流を起こし、開口部２上端を減圧状態とするため、裏面空間１１の空気が表面側へ吸い出される。
これらの図２（ａ）でも図２（ｂ）でも右側が棟で左側が軒を指し、雪（Ｓ）は開口部２から裏面空間１１に導かれ、裏面空間１１の空気は表面１０で排出されることが明らかになった。
そのため、開口部２は、滑落する雪（Ｗ）を裏面空間１１へ導く導入口としても、裏面空間１１にて温められた空気をそこから外部（表面１０側）へ排出する排出口としても作用するものであり、起立状部３は、前者において雪の案内片として、後者においては風の案内片として作用する。
【００２２】
したがって、この雪止め構造では、太陽電池１表面１０の雪を裏面空間１１に導くと共に該裏面空間１１にて雪を円滑に溶かすことができる。
より具体的には、軒棟方向の太陽電池１，１間に一定間隔の開口部２を設けることで、太陽電池１上を滑落する雪（Ｗ）を開口部２から太陽電池１の裏面空間１１に落とすことができ、太陽電池１上への積雪（にて遮光されること）による効率低下を防ぐことができる。
また、太陽電池１の裏面空間１１は高温になるので、裏面空間１１に落ちた雪を円滑に溶かすことができる。
さらに、起立状部２は、雪を裏面空間１１へ導く作用を果たすばかりでなく、裏面空間１１の温められた空気を太陽電池１の表面１０側へ放出することにより、裏面空間１１を適度な温度に保持することができ、表面１０側の積雪を滑落し易い状態とする役割も果たす。
また、この第１実施例では、起立状部３を、軒側に配設される太陽電池１の水上側端に設けたので、雪を導くための開口部２の幅が最も有効に利用される。
【００２３】
また、前記図１における太陽電池１を取り付ける下層材としての折板屋根は、雨仕舞性能を有する下層材であり、躯体５Ａ上にタイトフレームである下部保持部材５Ｂ及び上部保持部材５Ｃを固定し、完全嵌合式の縦葺き外装材５Ｄを敷設し、その両端を前記上部保持部材５Ｃに嵌合させると共に、キャップ５Ｅを嵌合させてなる折板屋根を用いた。更に、この下層材（折板屋根）に、左右一対の取付架材５Ｅを固定し、その頂部（上面部）を太陽電池１の受部として用いた。
【００２４】
図３は、起立状部３のバリエーションを示すものであり、より詳しくは、起立状部３と太陽電池１を構成する枠体（フレーム）１２ａ〜１２ｉとの取付バリエーションを示すものである。
【００２５】
図３（ａ）〜（ｃ）は、枠体１２に取付部１２１ａ〜１２１ｃを設け、該取付部１２１ａ〜１２１ｃに対し、起立状部３ａ〜３ｃを嵌合状に取り付ける態様であって、ピース材でも連続材でもよい。
図３（ａ）に示す取付部１２１ａは、側方に突出する凸状の被嵌合部であり、それに対して起立状部３ａには側方が開放する得凹状の嵌合部３１ａが設けられ、取付部１２１ａと嵌合部３１ａとを嵌合させて起立状部３ａを枠体１２ａに取り付けている。
図３（ｂ）に示す取付部１２１ｂは、側方に開放する凹状の被嵌合部であり、それに対して起立状部３ｂには側方に突出する凸状の嵌合部３１ｂが設けられ、取付部１２１ｂと嵌合部３１ｂとを嵌合させて起立状部３ｂを枠体１２ｂに取り付けている。
図３（ｃ）に示す取付部１２１ｃは、上方に開放する凹状の被嵌合部であり、それに対して起立状部３ｃには下方に突出する凸状の嵌合部３１ｃが設けられ、取付部１２１ｃと嵌合部３１ｃとを嵌合させて起立状部３ｃを枠体１２ｃに取り付けている。
【００２６】
図３（ｄ）に示す取付部１２１ｄは、嵌合するための構成を有していないが、側面が平坦状であり、それに対して起立状部３ｄを沿わせて接着又はビス打ち等で固定して取り付ける態様であり、同様にピース材でも連続材でもよい。
【００２７】
図３（ｅ）〜（ｇ）は、枠体（１２ｅ〜１２ｇ）自体に起立状部（１２３ｅ〜１２３ｇ）を太陽電池１の辺に対して全長に亘って一体的に設ける構成であり、図３（ｅ）は枠体１２ｅに設けた起立状部１２３ｅが内側へ傾斜しており、図３（ｆ）は枠体１２ｆに設けた起立状部１２３ｆが外側へ傾斜しており、図３（ｇ）は枠体１２ｇに設けた起立状部１２３ｇが略鉛直状に延在している構成である。
【００２８】
図４（ａ）、（ｂ）に示す実施例、図４（ｃ）に示す実施例は、前記〔１〕一体タイプである起立状部４３ａ〜４３ｂ（固定部材４）のバリエーションを示す。
前述のようにこの〔１〕一体タイプは、下層材５に直接締着され、太陽電池１の保持を兼ねる仕様であり、固定部材４Ａは通し材としたが、底面（固定部分）等に裏面空間１１と連通させる孔を設けたので、凹状の開口部２に落とした雪が表面からの熱（日射）及び裏面空間１１からの暖かな空気にあたることで融雪が促進される。
なお、図４の上端に示すように、流れ方向をＳで示す白抜き矢印で示し、吹き上げ風である風向き方向をＷで示す白抜き矢印で示した。また、各固定部材４Ａ，４Ｂにおいて、保持部は４１、固定部は４２（固定具は４２ｂ）と表記した。
【００２９】
図４（ａ）、（ｂ）の実施例は、固定部材４Ａが逆略ハット状のアルミ等の押し型材であって、隣接する太陽電池１，１の端縁（枠体１２の上面）を押さえる横片が保持部４１であり、下方へ窪む底部が下層材５に固定具（ボルトナット）４２ｂにて固定（締着）する固定部４２であり、水下側（図面左側）の縦片を上方へ延在させて起立状部４３ａが形成されている。
前記固定部４２には、固定具４２ｂを挿通させるための孔４２１が長さ方向に複数形成されており、通し材とした場合の裏面空間１１と連通させる孔を兼ねている。また、水下側の保持部３１の長さ方向に、裏面空間１１と連通する孔４１１が複数形成され、該孔４１１から裏面空間１１の空気を排出することができるようにした。
【００３０】
なお、前記実施例における太陽電池１としては、周囲に枠体１２を配した構成のものを用いたが、この枠体１２には図示しないが、空気の流通を可能とする孔を開設して用いてもよい。
【００３１】
図４（ｃ）の実施例は、前記実施例に比べて開口部２'の幅が広く、隣接する左右の固定部材４Ｂ，４'が異なるものであり、開口部２'の左側には、起立状部を有しない通常の固定部材４'を配し、開口部２'の左側には、前記実施例における固定部材４Ａの左方部分と形状が略同一の（起立状部４３ｂを有する）固定部材４Ｂを配している。図中、符号２０は、左右の固定部材４Ｂ，４'の間隔を示す。
【００３２】
図５及び図６に示す実施例は、前記〔２〕固定部材に取付（係合又は締着）タイプである起立状部４３ｃ〜４３ｇのバリエーションを示す。
前述のようにこの〔２〕固定部材に取付（係合又は締着）タイプは、予め起立状部４３ｃ〜４３ｇを備える別部品として作製した第２固定部材４Ｃ〜４Ｇを、本体４０Ｃ〜４０Ｇに係合又は締着にて一体的に取り付けられるものであり、本体４０Ｃ〜４０Ｇを下層材５に固定することで間接的に下層材５に起立状部４３ｃ〜４３ｇが固定される。
なお、各実施例において、保持部を４１と表示した点については、前記実施例と全く同様である。
【００３３】
図５（ａ）の実施例は、本体４０Ｃが、水下側（図面左側）の上端に係合溝である被係合部４０１を有する逆略ハット状のピース材であり、別部品として作製された第２固定部材４Ｃは、前記被係合部４０１に側方から係合させる係合部４４ｃを、縦片状の起立状部４３ｃの下端に有する構成である。
この実施例においては、本体４０Ｃをピース材としたので裏面空間１１と連通させる孔を開設する必要がなく、雪を開口部２から裏面空間１１へ落とすことができ、同図（ｂ）のように起立状部４３ｃを通し材４ＣＬに設けてもよいし、同図（ｃ）のように起立状部４３ｃをピース材４ＣＳに設けてもよい。
【００３４】
図５（ｄ）、（ｅ）の実施例は、本体４０Ｄが、逆略ハット状の内面に左右一対の被係合部４０２を有するピース状成形体であり、二部材からなる第２固定部材４Ｄは、前記被係合部４０２に上方から弾性に抗して嵌合させる係合部を有するピース材である下方部材４ｄｕと、該下方部材４ｄｕに傾動自在に軸着された起立状部４３ｄを有する上方部材４ｄｏとからなる。
この実施例においては、本体４０Ｄをピース材としたので裏面空間１１と連通させる孔を開設する必要がなく、しかも図示するように傾動自在に軸着された起立状部４３ｄの傾きが風向きによって変位することが目視にて確認される。
【００３５】
図６（ａ）、（ｂ）の実施例は、本体４０Ｅが前記実施例の本体４０Ｂとほぼ同一で、被係合部４０２を備え、該被係合部４０２に上方から弾性に抗して嵌合させる、係合部を有するピース材である第２固定部材４Ｅに、鉛直状縦片である起立状部４３ｅが設けられている。
この実施例においては、本体４０Ｅも第２固定部材４Ｅもピース材としたので裏面空間１１と連通させる孔を開設する必要がなく、凹状の開口部２に落とした雪が表面からの熱（日射）及び裏面空間１１からの暖かな空気にあたることで融雪が促進される。
【００３６】
図６（ｃ）、（ｄ）の実施例は、本体４０Ｆが前記実施例の本体４０Ｂとほぼ同様であって、ほぼ同様の被係合部４０３を備え、一部材からなる第２固定部材４Ｄは、前記被係合部４０３に上方から弾性に抗して嵌合させる係合部を有する連続材であって、鉛直状縦片が起立状部４３ｆであり、横片部分には裏面空間１１と連通させる孔４５が長さ方向に複数設けられている。
この実施例においては、連続材４２ｄの横片部分に複数の孔４５を形成したので、凹状の開口部２に落とした雪が表面からの熱（日射）及び裏面空間１１からの暖かな空気にあたることで融雪が促進される。
【００３７】
図６（ｅ）、（ｆ）の実施例は、本体４０Ｇが、水下側（図面左側）の上端に起立片４０５を有する略鍋状の成形体であり、別部品として作製された略Ｌ字状の第２固定部材４Ｇは、前記起立片４０５に側方からビスを締着して取り付けたものであり、本体４０Ｇの‘鍋底’に相当する固定部４２に取り付ける固定具４２ｂを、上方からの締着作業により、下層材５に締着するため、作業用の孔（締着用治具の挿入口）４０６が‘鍋蓋’に相当する横片に形成されている。
この実施例においては、本体４０Ｇがピース材であるため、裏面空間１１と連通させる孔を設けなくても凹状の開口部２に落とした雪が表面からの熱（日射）及び裏面空間１１からの暖かな空気にあたることで融雪が促進される。
【００３８】
図７（ａ）、（ｂ）の実施例は、前記〔３〕固定部材と別体タイプの例を示し、起立状部４３ｋを備える略Ｌ字状の第２固定部材４Ｋを、略逆ハット状の本体４０Ｋと共に下層材５に取り付けるものであり、第２固定部材４Ｋの長さ方向の一部の上方部分を切り欠き、該切り欠き部分にピース状の本体３０Ｋを取り付けることで、太陽電池１裏面と下層材表面で挟着状に取り付けられることにより、第２固定部材４Ｇも同時に取り付けられる。
【符号の説明】
【００３９】
１  太陽電池
１０  表面
１１  裏面空間
１２  枠体
１２３ｅ〜１２３ｇ  起立状部
２  開口部
３ａ〜３ｄ  起立状部
３１  保持部
３２  固定部
３２ｂ  固定具
３３ａ〜３３ｒ  起立状部
４Ａ、４Ｂ  固定部材
４０Ｃ〜４０Ｋ  本体
４Ｃ〜４Ｋ  第２固定部材
４３ａ〜４３ｋ  起立状部
５  下層材
５Ａ  躯体
５Ｂ  下部保持部材
５Ｃ  上部保持部材
５Ｄ  外装材
５Ｅ  キャップ材
５Ｆ  取付架台
Ｓ  雪
Ｗ  風
【図１】
0006456012.tif 000002
【図２】
0006456012.tif 000003
【図３】
0006456012.tif 000004
【図４】
0006456012.tif 000005
【図５】
0006456012.tif 000006
【図６】
0006456012.tif 000007
【図７】
0006456012.tif 000008